(57)【要約】【課題】  ミスト噴霧開始時に冷たいミストを浴びることがなく、快適にミストサウナ浴を楽しむこと。使い勝手を良好にすること。【解決手段】  熱源機６からの温水を利用して浴室１０を暖房する暖房機本体１と、温水をミスト状に噴霧するミスト噴霧ユニット２とを備えたミストサウナ機能付き浴室暖房装置である。浴室温度が所定温度未満のときは暖房機本体１による浴室暖房運転のみを行ない、浴室温度が所定温度以上となったときにミスト噴霧ユニット２によるミストサウナ運転を開始するように、暖房機本体１とミスト噴霧ユニット２とを切り替え制御する制御部４を備えている。【選択図】        図１
2006071143.tif 000002
【特許請求の範囲】
【請求項１】
熱源機からの温水を利用して浴室を暖房する暖房機本体と、温水をミスト状に噴霧するミスト噴霧ユニットとを備えたミストサウナ機能付き浴室暖房装置であって、浴室温度が所定温度未満のときは暖房機本体による浴室暖房運転のみを行ない、浴室温度が所定温度以上となったときにミスト噴霧ユニットによるミストサウナ運転を開始するように、暖房機本体とミスト噴霧ユニットとを切り替え制御する制御部を備えていることを特徴とするミストサウナ機能付き浴室暖房装置。
【請求項２】
前記暖房機本体に、循環ファンと、循環ファンにより通風される空気を熱源機からの熱媒にて加熱する空調用熱交換器と、空調用熱交換器への熱媒の供給量を調節する空調用制御弁と、熱媒の温度を検知する熱媒温度センサと、浴室温度を検知する浴室温度センサとが設けられ、前記ミスト噴霧ユニットに、給水路を開閉する給水弁と、給水路からの水を熱源機からの熱媒により加熱する液−液熱交換器と、液−液熱交換器への熱媒の供給量を調整するミスト用制御弁と、液−液熱交換器で加熱された温水をミスト状に噴霧するミストノズルと、ミストノズルを開閉制御するノズル開閉弁とが設けられ、前記制御部は、ミストサウナ運転開始が指令されると前記ミスト用制御弁及び前記空調用制御弁をそれぞれ開くミストサウナ運転待機モードと、前記熱媒温度センサで検知される熱媒温度が所定温度以上となったときに前記循環ファンを作動させる浴室暖房運転モードと、前記浴室温度センサにて検知される浴室温度が所定温度以上となったときに前記給水弁及び前記ノズル開閉弁をそれぞれ開いてミスト噴霧を開始するミストサウナ運転モードとをこの順に実行するように構成されていることを特徴とする請求項１記載のミストサウナ機能付き浴室暖房装置。
【請求項３】
前記循環ファンを作動させる際の熱媒温度が約６０℃以上であり、前記ミスト噴霧開始時の浴室温度が約２８℃以上であることを特徴とする請求項２記載のミストサウナ機能付き浴室暖房装置。
【請求項４】
前記ミストサウナ運転時において、浴室温度に応じて循環ファンの風量レベルを変化させると共に、循環ファンの回転数を変化させても浴室温度が所定レベル以上になった場合にはミスト用制御弁の開度を調節してミスト噴霧温度を変化させることを特徴とする請求項１乃至請求項３のいずれかに記載のミストサウナ機能付き浴室暖房装置。
【発明の詳細な説明】
【技術分野】
【０００１】
本発明は、ミストサウナ機能付き浴室暖房装置に関し、詳しくはミストサウナ浴時にミストによる寒さを感じさせることがないようにする技術に関するものである。
【背景技術】
【０００２】
従来から、ミストサウナを実現するにあたり、水を加熱し、ミストノズルより少量の水を噴霧すると共に、温風にて加熱することにより、浴室内でミストサウナ浴ができるようにしたものがある。
【０００３】
その一例として、熱交換器において給水路を通して供給される水を熱源手段から供給される熱媒により加熱し、この加熱された水をミスト噴出手段に供給して、浴室内に温水をミスト状に噴霧させるようにした浴用ミスト装置が知られている（例えば、特許文献１参照）。
【０００４】
ところが、前記特許文献１に示される従来例にあっては、ミストノズルから噴霧されるミストは、噴霧直後に浴室内の空気と熱交換する。このとき、浴室温度が低いと、浴室内の空気に熱を奪われてしまい、噴霧時に６０℃以上であっても、入浴者がいる浴室下方付近に達したときにはミスト噴霧温度が低くなり、このためミストが入浴者の体に当たって寒さを感じるようになる。しかもミストは比熱が大きいため、低い温度のミストが体に当たると寒さを感じるようになり、冬場には特にこの影響が大きく、好ましくないものである。
【０００５】
他の従来例として、給湯暖房機などからの高温湯を噴射口からミスト状に噴霧して浴室やシャワーユニット内を暖めることのできるミスト装置において、入浴前運転では、前記ミスト装置からの噴霧と、浴室暖房機からの温風の吹き出しを併用させるように構成したミスト装置が知られている（例えば、特許文献２参照）。
【０００６】
ところが、前記特許文献２に示される従来例にあっては、入浴前に予め脱衣室リモコンのミストサウナスイッチを１回押して、高温のミストを大量に浴室内に噴霧させることで浴室を急速に暖めるようにしているが、入浴前運転中に浴室内に入ると不快に感じることになる。この場合、一旦浴室から出て、もう一度ミストサウナスイッチを押して、入浴中運転に切り替える必要が生じるなど、使い勝手が良くないという問題がある。
【特許文献１】特開２００３−３３４２３０号公報
【特許文献２】特開２００２−６１８６０号公報
【発明の開示】
【発明が解決しようとする課題】
【０００７】
本発明は前記の従来の問題点に鑑みて発明したものであって、ミスト噴霧開始時に冷たいミストを浴びることがなく、快適にミストサウナ浴を楽しむことができ、しかも使い勝手が良好なミストサウナ機能付き浴室暖房装置を提供することを課題とするものである。
【課題を解決するための手段】
【０００８】
前記課題を解決するために本発明は、熱源機６からの温水を利用して浴室１０を暖房する暖房機本体１と、温水をミスト状に噴霧するミスト噴霧ユニット２とを備えたミストサウナ機能付き浴室暖房装置であって、浴室温度が所定温度未満のときは暖房機本体１による浴室暖房運転のみを行ない、浴室温度が所定温度以上となったときにミスト噴霧ユニット２によるミストサウナ運転を開始するように、暖房機本体１とミスト噴霧ユニット２とを切り替え制御する制御部４を備えていることを特徴としている。
【０００９】
このような構成とすることで、浴室温度が低い場合には、ミストサウナ運転開始の指令があっても、冷たいミストが噴霧しないように、暖房機能とミスト機能とを切り替え制御することができ、入浴者が冷たいミストを浴びることを防止でき、冬場でも寒さを感じることがなくなる。また浴室１０が温まるまで浴室暖房を行ない、浴室温度が一定以上になった後に自動的にミスト噴霧を開始するので、使い勝手がよい。
【００１０】
また前記暖房機本体１に、循環ファン６０と、循環ファン６０により通風される空気を熱源機６からの熱媒にて加熱する空調用熱交換器５６と、空調用熱交換器５６への熱媒の供給量を調節する空調用制御弁８と、熱媒の温度を検知する熱媒温度センサ９と、浴室温度を検知する浴室温度センサ１６とが設けられ、前記ミスト噴霧ユニット２に、給水路１２を開閉する給水弁１７と、給水路１２からの水を熱源機６からの熱媒により加熱する液−液熱交換器１１と、液−液熱交換器１１への熱媒の供給量を調整するミスト用制御弁１４と、液−液熱交換器１１で加熱された温水をミスト状に噴霧するミストノズル１３と、ミストノズル１３を開閉制御するノズル開閉弁１５とが設けられ、前記制御部４は、ミストサウナ運転開始が指令されると前記ミスト用制御弁１４及び前記空調用制御弁８をそれぞれ開くミストサウナ運転待機モードと、前記熱媒温度センサ９で検知される熱媒温度が所定温度以上となったときに前記循環ファン６０を作動させる浴室暖房運転モードと、前記浴室温度センサ１６にて検知される浴室温度が所定温度以上となったときに前記給水弁１７及び前記ノズル開閉弁１５をそれぞれ開いてミスト噴霧を開始するミストサウナ運転モードとをこの順に実行するように構成されているのが好ましい。これにより、浴室温度センサ１６で浴室温度を監視し、浴室温度が温まるまで少なくともノズル開閉弁１５を開かないようにすることで、冷たいミストの噴霧を防止できる。
【００１１】
また、前記循環ファン６０を作動させる際の熱媒温度が約６０℃以上であり、前記ミスト噴霧開始時の浴室温度が約２８℃以上であるのが好ましい。これにより、十分に温まった浴室１０内に暖かいミストを噴霧できるようになる。
【００１２】
また、前記ミストサウナ運転モードにおいて、浴室温度に応じて循環ファン６０の風量レベルを変化させると共に、循環ファン６０の回転数を変化させても浴室温度が所定レベル以上になった場合にはミスト用制御弁１４の開度を調節してミスト噴霧温度を変化させるのが好ましい。このように、浴室温度に応じた循環ファン６０の風量レベル又はミスト噴霧温度の制御を行なうことによって、ミストサウナ浴の途中で浴室温度が高くなり過ぎたり、低くなり過ぎるのを極力防止できるようになる。
【発明の効果】
【００１３】
本発明にあっては、ミストサウナ運転において浴室温度が低い場合は浴室暖房運転を行ない、浴室温度が所定温度まで上昇するとミストを噴霧するので、ミスト噴霧開始時に冷たいミストを浴びることがなく、快適にミストサウナ浴を楽しむことができるようになり、しかも浴室温度が一定以上になると自動的にミスト噴霧を開始するので使い勝手が良好となる。
【発明を実施するための最良の形態】
【００１４】
以下、本発明を添付図面に示す実施形態に基いて説明する。
【００１５】
本実施形態のミストサウナ機能付き浴室暖房装置は、図２に示すように、浴室１０の天井部に設置されている。浴室１０の外部には給湯機能付き熱源機６が設置され、浴室１０内部の壁にはワイヤレスリモコン１９が設置され、さらに脱衣室の壁には脱衣室リモコン１００が設置されている。
【００１６】
浴室１０内のワイヤレスリモコン１９には、例えば、運転モード、温度、風量、風向き、入浴時間のそれぞれの表示部、及び、ミストサウナ運転開始を指令するミストサウナスイッチ、ミスト強弱を切り替えるミストスイッチ、目標となる設定温度（例えば３８℃〜４６℃）を設定する温度設定スイッチ、暖房スイッチ、涼風スイッチ、風向スイッチ、停止スイッチ、入浴時間をカウントするスタート／ストップスイッチ、リセットスイッチ等のスイッチ類が設けられている。一方、脱衣室リモコン１００には、例えばタイマー表示部、ミストサウナスイッチ、タイマー設定スイッチ、風向スイッチ、乾燥スイッチ、暖房スイッチ、換気スイッチ、涼風スイッチ、停止スイッチ等が設けられている。例えば、脱衣室リモコン１００で入浴前運転の操作を行ない、浴室１０内のワイヤレスリモコン１９で入浴中運転の調整を行なえるようにしている。なお図２中の９０は換気ダクトである。
【００１７】
前記ミストサウナ機能付き浴室暖房装置は、図１に示すように、浴室１０内に温風を供給する暖房機本体１と、温水をミスト状に噴霧するミスト噴霧ユニット２と、暖房機本体１とミスト噴霧ユニット２とを切り替え制御する制御部４（図６）とを備えている。本例では暖房機本体１を収納する暖房機本体ボックス１ａと、ミストユニットボックス３とに分離され、暖房機本体ボックス１ａの上にミストユニットボックス３を搭載した状態で互いに結合されている。
【００１８】
前記暖房乾燥機ボックス１ａ内には、浴室温度を検知するサーミスター等からなる浴室温度センサ１６が配置されると共に、循環ファン６０と、循環ファン６０にて循環通風路５に通風される空気を加熱する空調用熱交換器５６とが配置されている。空調用熱交換器５６の一次側水路の入側は、熱媒循環路７の往路７ａを介して、熱源機６の熱媒吐出側の温水供給側継手２０に接続されており、空調用熱交換器５６の一次側水路の出側は、熱媒循環路７の復路７ｂを介して熱源機６の回収側の温水戻り側継手２１に接続されている。本例では空調用熱交換器５６の熱交換効率を高めるために、縦型熱交換部５６ａと横型熱交換部５６ｂとに分割して隣接配置すると共に、熱媒循環路７の往路７ａがジョイント部材９３を介して各熱交換部５６ａ、５６ｂの入側にそれぞれ接続され、各熱交換部５６ａ、５６ｂの出側が２つのジョイント部材９１、９２を介して熱媒循環路７の復路７ｂにそれぞれ接続されている。
【００１９】
ここで、前記熱媒循環路７の往路７ａには、熱媒の供給量を調節するための空調用制御弁８と、熱媒の温度を検知するサーミスター等からなる熱媒温度センサ９とが配置されている。空調用制御弁８は例えば、熱動弁からなる。以下「熱動弁８」として説明する。熱媒温度センサ９で検知される熱媒温度は、空調用熱交換器５６及び後述する液−液熱交換器１１を加熱する温水の温度であり、この温度に応じて後述のように循環ファン６０のＯＮ動作、ノズル開閉弁１５の開閉動作が行なわれる。
【００２０】
一方、ミスト噴霧ユニット２は、給水路１２を開閉する給水弁１７と、給水路１２から供給される水を熱源機６からの熱媒により加熱するための液−液熱交換器１１と、この液−液熱交換器１１で加熱された水をミスト状に噴霧する複数（例えば２つ）のミストノズル１３と、各ミストノズル１３を開閉制御するノズル開閉弁１５とを備えている。図１の例では液−液熱交換器１１がミストユニットボックス３内に配置され、ミストノズル１３とノズル開閉弁１５とが暖房機本体ボックス１ａ内に配置されている。なお図１中のＭはミスト、Ｎは温風、５１は換気用ファン、９０は排気ダクトである。
【００２１】
また、前記給水路１２の上流は、電磁弁等からなる給水弁１７、給水継手２６を介して水道管１５１（図２）に接続され、給水路１２の下流はノズル開閉弁１５側に接続されている。給水路１２の途中には液−液熱交換器１１が設けられている。本例の液−液熱交換器１１は複数の波板状の伝熱プレートを間隔をあけて積層配置したプレート式熱交換器で構成される。液−液熱交換器１１の一次側水路は給水路１２と連通し、二次側水路は熱媒分岐循環路２３と連通している。熱媒分岐循環路２３の上流には、熱媒の供給量を調整自在とするミスト用制御弁１４を介して、前記熱動弁８よりも手前側の熱媒循環路７の往路７ａに接続され、熱媒分岐循環路２３の他端は前記熱媒循環路７の復路７ｂに接続されている。ミスト用制御弁１４は例えば水比例弁からなる。以下、「水比例弁１４」として説明する。
【００２２】
また、給水路１２の液−液熱交換器１１とノズル開閉弁１５との間には、排水路２４の一端が接続されている。排水路２４の他端は電磁弁からなる排水弁１８及び逆止弁２５、排水継手２７を介して排水管１５２（図２）に接続されている。この排水路２４は、例えば、ミストサウナ運転開始前に、ノズル開閉弁１５を閉じた状態で開かれるものであり、この排水路２４を通って液−液熱交換器１１や給水路１２内に溜まっている水を外部に排水できるようになる。なお排水路２４はバキュームブレーカー２８を介して大気流入路２９に連通しており、排水時に逆止弁２５の手前の排水路２４内を大気圧状態とすることで、排水弁１８から排水された汚れた水が排水路２４内に逆流するのを防止している。
【００２３】
ここで本発明においては、前記浴室温度センサ１６、熱媒温度センサ９、ミスト噴霧温度センサ３０からの各検知信号が、図６に示す制御部４に送られる。制御部４は、ワイヤレスリモコン１９又は脱衣室リモコン１００から指令されるリモコン信号に基づいて、ミストサウナ運転待機モード→浴室暖房運転モード→ミストサウナ運転モードをこの順に実行するマイクロコンピュータにより構成される。本例のミストサウナ運転待機モードは、水比例弁１４を開き、その後に熱媒温度センサ９で検知される熱媒温度（図４（ｇ））が所定温度（例えば６０℃以上）になると浴室暖房運転モードに移行して循環ファン６０をＯＮ制御し、その後に浴室温度センサ１６にて検知される浴室温度が所定温度（例えば２８℃以上）になると、給水弁１７及びノズル開閉弁１３をそれぞれ開いてミストサウナ運転モードを実行するものである。またミストサウナ運転モード実行中においては、浴室温度に応じて循環ファン６０の単位時間あたりの回転数を制御し、また循環ファン６０の回転数を変化させても浴室温度が上昇していく場合は、水比例弁１４の開度を調節してミスト噴霧温度を変化させるように構成されている。
【００２４】
以下、制御部４の動作を図３の制御フローを参照して説明する。図３のステップＮ１で、入浴者が例えば脱衣室リモコン１００でミストサウナスイッチを押すと、脱衣室リモコン１００のミストサウナ強ランプが点灯し、タイマー設定表示が点灯し、暖房機本体１の温風吹き出し口５４のルーバーが開く。なお、浴室１０内のワイヤレスリモコン１９でミストサウナスイッチを押すと、脱衣室リモコン１００のミストサウナ強ランプが点灯し、風量・風向き・設定温度がそれぞれ表示される。
【００２５】
前記のようにミストサウナ運転開始を指令すると、制御部４はミストサウナ運転待機モード（ステップＮ２）に移行して、図４（ｃ）、（ｄ）のように熱動弁８と水比例弁１４とをそれぞれ開き、ミスト噴霧の待機状態となるが、前回のミストサウナ運転から一定時間、例えば１時間以上経過している場合にあっては、排水弁１８を開き、パージ運転を約３０秒程度行なう。なお、熱動弁８と水比例弁１４とを同時に開かず、運転開始指令から１〜２分経過後に、熱動弁８を開くようにしてもよい。これにより熱源機６からの熱媒（以下、温水）が空調用熱交換器５６に供給される。
【００２６】
その後、ステップＮ３で熱媒温度センサ９の検知温度が６０℃以上であるかどうかを判定し、６０℃以上であるときは、浴室暖房運転モード（ステップＮ４）に移行して、図４（ｇ）の時刻ｔ１で図４（ｂ）のように循環ファン６０を作動させる。これにより、浴室暖房が開始され、浴室１０内の空気が吸い込みグリル５７のフィルター部を通って循環通風路５内に吸い込まれ、その後空調用熱交換器５６で加熱されて温風となって温風吹き出し口５４から浴室１０内に吹き出す。
【００２７】
その後、ステップＮ５に移行して、浴室温度センサ１６の検知温度が２８℃以上であるかどうかを判定する。浴室温度が２８℃以上になった段階で、図４（ｈ）の時刻ｔ２で、図４（ｅ）のように給水弁１７を開き、さらに図４（ｆ）のようにノズル開閉弁１５を開く。これによりミストサウナ運転モード（ステップＮ６）に移行する。このとき、最初にワイヤレスリモコン１９（又は脱衣室リモコン１００）でミストサウナスイッチを１回押している場合には、２つのノズル開閉弁１５が同時に開かれるミストサウナ（強）温度設定となり、２つのミストノズル１３から同時にミストが噴霧する。その後、再び、ミストサウナスイッチを押すと、ミストサウナ（弱）温度設定（ミストサウナ弱ランプが点灯）に切り替わり、片方のミストノズル１３が閉じ、もう片方のみからのミスト噴霧となる。ここにおいて、一方のミストノズル１３ａは例えばマイルドなミストサウナ（ミスト噴霧量が例えば０．５リットル／ｍｉｎ）を得るために用いられ、他方のミストノズル１３ｂはハードなミストサウナ（ミスト噴霧量が例えば１．０リットル／ｍｉｎ）を得るために用いられる。
【００２８】
前記ミスト噴霧開始後に、浴室温度が設定温度に達した後は、循環ファン６０の風量レベルを変化させることで、循環ファン６０による浴室温度の制御を行なう。ところが、一般的に、循環ファン６０の風量レベルを小さくしすぎると、温風の熱が浴室１０内の天井付近にこもるようになり、このとき天井付近に設置される浴室温度センサ１６は、天井付近の温度を検知しているため、浴室温度センサ１６の検知温度が設定温度よりも高いのにもかかわらず、入浴者がいる浴室１０下方付近の温度が低すぎるということがある。つまり、天井付近と入浴者のいる浴室１０下方付近との間で温度ギャップ（以下、「温度偏差Ｋ」という）が大きくなるためである。
【００２９】
そこで、本実施形態では温度偏差Ｋ（＝浴室温度−設定温度）が小レベル（本例では、０〜＋３）の段階では、暖房負荷が大きい状態（入浴者がいる浴室１０下方付近の温度が低い）と予測して、例えば図５（ａ）に示すように温度偏差Ｋに応じて循環ファン６０の風量レベルを最大風量Ａ１から最小風量Ａ５までの５段階（Ａ１＞Ａ２＞Ａ３＞Ａ４＞Ａ５）で変化させる。具体的には温度偏差Ｋが＋１のときは風量レベルをＡ２からＡ３に１段階下げ、温度偏差Ｋが＋２のときはＡ３からＡ４に１段階下げる。最終的にＡ５の段階まで下げたときは熱動弁８を全閉状態にして空調用熱交換器５６の加熱を停止するが、この加熱停止状態でも循環ファン６０は微風量で回転している。
【００３０】
また前記のように循環ファン６０の風量レベルを小さくしても、温度偏差Ｋが大きくなっていく場合（本例では、＋４〜＋６）は、暖房負荷が小さい状態（入浴者がいる浴室１０下方付近の温度がある程度高い）と予測して、例えば図５（ｂ）に示すように、水比例弁１４の開度を段階的に絞ることで、ミスト噴霧温度を例えば５℃きざみで４段階（Ｂ１＞Ｂ２＞Ｂ３＞Ｂ４）で変化させる。具体的には、温度偏差Ｋが＋４のときは水比例弁１４の開度を１段階絞ってミスト噴霧温度（ミスト噴出温度）をＢ１からＢ２に１段階下げ、温度偏差Ｋが＋５のときは同様にしてミスト噴霧温度をＢ２からＢ３に１段階下げる。最終的にＢ４の段階まで下げると水比例弁１４を全閉状態にして液−液熱交換器１１の加熱を停止するが、この加熱停止状態でもミスト噴霧は行なわれている。
【００３１】
このように、天井付近と入浴者のいる浴室１０下方付近との間で温度偏差Ｋがあることを見越して、循環ファン６０の回転数制御からミスト噴霧温度の段階的制御に切り替えることにより、ミストサウナ浴の途中で浴室１０下方付近の温度の上がり過ぎ或いは下がり過ぎを極力防止できるようになる。なお図５の例では、＋３の温度偏差Ｋを境にして、循環ファン６０の制御とミスト噴霧温度の制御とを行なっているが、温度偏差Ｋが重なる領域で双方を同時に制御するようにしてもよい。
【００３２】
また前記温度偏差Ｋに応じた循環ファン６０と水比例弁１４の各制御は、２つのミストノズル１３，１３が同時に開かれるミストサウナ（強）温度設定の場合と、片方のミストノズル１３のみが開かれるミストサウナ（弱）温度設定の場合とで、同様にして行なわれる。
【００３３】
その後、浴室１０内のワイヤレスリモコン１９（或いは脱衣室リモコン１００）の停止スイッチを押すか、或いはタイマー時間が終了すると、ミストサウナ運転モードが停止する。ここでは、脱衣室リモコン１００の停止スイッチを押した場合は表示ランプ、タイマー表示が全て消える。一方、浴室１０内でワイヤレスリモコン１９の停止スイッチを押すと、ワイヤレスリモコン１９の液晶部に「浴室乾燥」「運転をしてください」のメッセージが約９秒間表示される。また、リモコン操作で停止スイッチを押した場合は、循環ファン６０が停止し、熱動弁８が閉じ、温風吹き出し口５４のルーバーが閉じる。
【００３４】
一方、タイマー時間が終了して自動停止した場合は、熱動弁８は閉じるが、循環ファン６０は弱回転に切り替わり、約２分間送風を続けた後に、循環ファン６０が停止して温風吹き出し口５４のルーバーが閉じる。
【００３５】
しかして、浴室温度が低い場合は、ミストサウナ運転開始の指令があってもミスト噴霧は行なわないため、入浴者は冷たいミストを浴びることがない。しかも浴室暖房運転により浴室１０が温まっている間に、液−液熱交換器１１により給水路１２からの水が加熱されている。そして、浴室１０が十分に温まってから自動的にミスト噴霧を開始するので、液−液熱交換器１１によって十分に温められた温水がミスト状に噴出して入浴者の体に当たるようになる。従って、とくに冬場でも快適にミストサウナ浴を楽しむことができる。しかも、浴室が一定温度になるまでミスト噴霧を行なわず、浴室が一定温度以上になってからミスト噴霧を自動的に開始するので、使い勝手が良くなるという利点がある。
【００３６】
また本例のミストサウナ運転モードでは、浴室温度に応じて循環ファン６０の風量レベルを段階的に調節する方法と、ミスト噴霧温度を段階的に調節する方法とを採用しているので、ミストサウナ浴の途中で浴室温度が高くなり過ぎたり、低くなり過ぎたりするのを極力防止でき、ミストサウナ浴が一層快適になる利点もある。
【００３７】
なお前記実施形態では、熱源機６からの温水との熱交換によって浴室暖房用の水及びミスト用の水をそれぞれ加熱しているが、他例として給湯機からの温水を、浴室暖房用の温水及びミスト噴霧用の温水として使用するようにしてもよい。
【図面の簡単な説明】
【００３８】
【図１】本発明の一実施形態のミストサウナ機能付き浴室暖房装置の説明図である。
【図２】同上のミストサウナ機能付き浴室暖房装置の設置状態の説明図である。
【図３】同上の制御部のフローチャートである。
【図４】同上のミストサウナ運転待機モードから浴室暖房運転モード、ミストサウナ運転モードに移行する場合の循環ファン、熱動弁、水比例弁、給水弁、ノズル開閉弁の動作を説明するタイムチャートである。
【図５】（ａ）（ｂ）は他の実施形態であり、同上のミストサウナ運転モードにおける循環ファンの回転数制御とミスト噴霧温度制御とを、温度偏差（設定温度−浴室温度センサで検知される浴室温度）に基いて行なう場合の一例を説明するグラフである。
【図６】同上の制御部に関連するブロック図である。
【符号の説明】
【００３９】
１  暖房機本体
２  ミスト噴霧ユニット
４  制御部
６  熱源機
８  熱動弁
９  熱媒温度センサ
１０  浴室
１１  液−液熱交換器
１２  給水路
１３  ミストノズル
１４  水比例弁
１５  ノズル開閉弁
１６  浴室温度センサ
１７  給水弁
５６  空調用熱交換器
６０  循環ファン
【図１】
2006071143.tif 000003
【図２】
2006071143.tif 000004
【図３】
2006071143.tif 000005
【図４】
2006071143.tif 000006
【図５】
2006071143.tif 000007
【図６】
2006071143.tif 000008